(57)【要約】【課題】  保形性を有するホースの収納作業やホース内の水抜き作業を簡単且つ容易に行えてホースの収納時における操作性を高められると共に、ホースの収納作業時にホースがキンクした状態で収納されたり、はみ出した状態で収納されたりすることがなく、ホースを所定の位置に正しく収納することでき、消火栓の性能を維持できるようにする。【解決手段】  開閉可能な消火栓格納箱１と、消火栓格納箱１内に配設された消火栓弁２と、消火栓格納箱１内に回転自在に支持され、前面にホース引き出し用の開口３ａを有すると共に、外周面にホース基端部取り出し口３ｄを備えたドラム状のホース収納体３と、ホース収納体３内に外側から内側へ向って渦巻き状に巻き回された状態で収納され、基端部が消火栓弁２に接続されると共に、先端部にノズル４が接続された保形性を有するホース５と、消火栓格納箱１とホース収納体３との間に設けられ、ホース収納体３の回転を阻止する固定手段６とから構成する。【選択図】  図１
2014204781.tif 000002
【特許請求の範囲】
【請求項１】
開閉可能な消火栓格納箱（１）と、消火栓格納箱（１）内に配設された消火栓弁（２）と、消火栓格納箱（１）内に回転自在に支持され、前面にホース引き出し用の開口（３ａ）を有すると共に、外周面にホース基端部取り出し口（３ｄ）を備えたドラム状のホース収納体（３）と、ホース収納体（３）内に外側から内側へ向って渦巻き状に巻き回された状態で収納され、基端部が消火栓弁（２）に接続されると共に、先端部にノズル４が接続された保形性を有するホース（５）と、消火栓格納箱（１）とホース収納体（３）との間に設けられ、ホース収納体（３）の回転を阻止する固定手段（６）とを具備したことを特徴とする消火栓装置。
【請求項２】
ホース収納体（３）は、ホース引き出し用の開口（３ａ）を形成した円板状の前面側の側板（３ｂ）と、前面側の側板（３ｂ）の背面側に対向状に配設された背面側の側板（３ｃ）と、両側板（３ｂ），（３ｃ）間に同心円上に配設され、両側板（３ｂ），（３ｃ）を連結すると共に、ホース（５）の基端部が挿通されるホース基端部取り出し口（３ｄ）を形成した筒状の外周板（３ｅ）とによりドラム状に形成されており、背面側の側板（３ｃ）が消火栓格納箱（１）の背面板に設けた回転軸（９）に回転自在に支持されていると共に、両側板（３ｂ），（３ｃ）の外周縁部が消火栓格納箱（１）内に配設した複数の受け車（１０）により回転自在に支持されていることを特徴とする請求項１に記載の消火栓装置。
【請求項３】
受け車（１０）は、その外周面にホース収納体（３）の前面側の側板（３ｂ）又は背面側の側板（３ｃ）の外周縁部が嵌り込む環状溝が形成されており、消火栓格納箱（１）の底面板又は消火栓格納箱（１）の底面板と背面板の両方に複数個配設されていることを特徴とする請求項２に記載の消火栓装置。
【請求項４】
固定手段（６）は、ホース収納体（３）に設けられ、係止孔（６ａ）を形成した収納体側固定金具（６ｂ）と、消火栓格納箱（１）に設けられ、収納体側固定金具（６ｂ）に対向し得る格納箱側固定金具（６ｃ）と、格納箱側固定金具（６ｃ）に移動自在に支持され、収納体側固定金具（６ｂ）の係止孔（６ａ）に抜き差し自在な係止ピン（６ｄ）と、格納箱側固定金具（６ｃ）に設けられ、係止ピン（６ｄ）が係止孔（６ａ）に挿通される係止位置と係止ピン（６ｄ）が係止孔（６ａ）から引き抜かれる非係止位置とに亘って係止ピン（６ｄ）を前記各位置にそれぞれ保持する保持機構（６ｅ）とから成り、係止ピン（６ｄ）を保持機構（６ｅ）により係止位置にすると、ホース収納体（３）の回転が阻止され、また、係止ピン（６ｄ）を保持機構（６ｅ）により非係止位置にすると、ホース収納体（３）が回転フリーの状態になるようにしたことを特徴とする請求項１に記載の消火栓装置。
【請求項５】
ホース収納体（３）の外面に、消火栓弁（２）から外されたホース（５）の基端部をホース収納体（３）側へ保持固定する保持手段（８）を設けたことを特徴とする請求項１又は請求項２に記載の消火栓装置。
【請求項６】
保持手段（８）は、ホース収納体３の外面に取り付けた面ファスナー構造のバンド又は保持機能を有するベルトから成ることを特徴とする請求項５に記載の消火栓装置。
【発明の詳細な説明】
【技術分野】
【０００１】
本発明は、例えば、多くの文化財が存在し、木造住宅が密集する歴史的な町並みのある地域の道路脇や建物の軒先等に設置され、地域住民の消火訓練や初期消火活動、散水目的に使用される消火栓装置の改良に係り、特に、保形性を有するホースの収納作業やホース内の水抜き作業を簡単且つ容易に行えてホースの収納時における操作性を高められると共に、ホースの収納作業時にホースが乱雑な状態で収納されたり、ホース収納部よりはみ出した状態で収納されたりすることがなく、ホースを所定の位置に正しく収納することができ、本来の消火栓の性能を維持できるようにした消火栓装置に関するものである。
【背景技術】
【０００２】
一般に、歴史的な町並みには、多くの文化財が存在し、木造住宅が密集するため、ひとたび火災が発生すると、延焼火災に発展する可能性がある。
また、このような地域には、細い道路が多く、大型の消防車が通行できないため、消防隊の到着までに時間がかかって被害が拡がることがある。
【０００３】
そこで、このような地域においては、町並みの保存を目的として、道路脇や道路に面している建物の軒先等に地域住民が使用できる消火栓装置を地域において自主設置し、この消火栓装置を使用して地域住民が消火訓練や初期消火活動を行えるようにし、地域住民の防災力を高めるようにしている。
また、このような地域においては、火災等の緊急時に消火栓装置を即座に使用できるように、地域住民が消火訓練を兼ねて日頃より打ち水等の散水目的で消火栓装置を使用している。
【０００４】
従来、この種の消火栓装置としては、保形性を有するホースをドラム内に渦巻き状に巻き取った状態で収納保持するようにしたドラム型の消火栓装置（特許文献１参照）や、渦巻き状に巻き取った保形性を有するホースを複数本の縦向き又は横向きのバーで保持するようにしたバー型の消火栓装置（特許文献２参照）が知られている。
【０００５】
図１４は従前のドラム型の消火栓装置の一例を示すものであり、また、図１５（Ａ）及び（Ｂ）は従前のバー型の消火栓装置の一例を示すものであり、図１５（Ａ）はバー型の縦型の消火栓装置、図１５（Ｂ）はバー型の横型の消火栓装置である。
【０００６】
前記ドラム型の消火栓装置は、図１４に示す如く、開閉扉３０ａを有する消火栓格納箱３０と、消火栓格納箱３０内に固定状態で設置され、前面の中央に円形の開口部３１ａを形成したドラム３１と、ドラム３１内に外側から内側に向って渦巻き状に巻き回された状態で収納され、基端部が消火栓弁３２に接続されると共に、先端部にノズル３３が接続された保形性を有するホース３４とを備えており、消火の際には、消火栓弁３２を開放すると共に、ノズル３３及びホース３４の先端部を持ってホース３４をドラム３１の開口部３１ａから順次繰り出し、ホース３４を火災位置近傍まで引き出した後、ノズル３３を開放して火災位置へ向って放水するようにしたものである。
【０００７】
一方、バー型（縦型及び横型）の消火栓装置は、図１５（Ａ）及び（Ｂ）に示す如く、開閉扉３０ａを有する消火栓格納箱３０と、消火栓格納箱３０内に消火栓格納箱３０の背面板との間に空間を空けて横向き姿勢で平行に配置された複数のコ字状のバー３５と、消火栓格納箱３０の背面板と複数のバー３５との間に渦巻き状に巻き回された状態で収納され、基端部が消火栓弁３２に接続されると共に、先端部にノズル３３が接続された保形性を有するホース３４とを備えており、消火の際には、消火栓弁３２を開放すると共に、ノズル３３及びホース３４の先端部を持ってホース３４をバー３５の間から順次繰り出し、ホース３４を火災位置近傍まで引き出した後、ノズル３３を開放して火災位置へ向って放水するようにしたものである。
【０００８】
前記各消火栓装置は、何れも保形性を有するホース３４を使用しているため、一人で操作が可能であり、放水操作までは高い操作性を有している。
【０００９】
しかし、前記各消火栓装置は、何れも使用後におけるホース３４内の水抜き作業やホース３４の収納作業に時間がかかり、日常的に使用するにはホース３４の収納時における操作性が悪いと云う問題があった。
【００１０】
また、ホース３４内の水抜き作業においては、ホース３４をドラム３１内又は消火栓格納箱３０の背面板とバー３５との間の空間内へ収納する際に、ノズル３３を開放してホース３４内の水をノズル３３から抜くようにしているが、ホース３４内の水が完全に抜けず、ホース内３４に水が残った状態で収納されることになる。
この場合には、ホース３４内に残った水の重量でホースの引き出し操作に必要以上の力を要することとなる。更に、磨耗を増大することとなり、新しいホース３４に交換するまでの期間が短くなると云う問題があった。
尚、ホース３４を消火栓格納箱３０内から全て引き出して水抜き作業を行えば、ホース３４内の水を殆んど抜くことができるが、この場合、ホース３４の収納作業がより面倒になる。
【００１１】
更に、ホース３４の収納作業においては、ホース３４をドラム３１内又は消火栓格納箱３０の背面板とバー３５との間の空間内へ丁寧に収納して行かないと、ホース３４の収納半径が小さくなってキンクした状態で収納されたり、或いは、ドラム３１や消火栓格納箱３０の背面板とバー３５との間の空間からはみ出した状態で収納されることがある。
ホース３４がキンクした状態で収納された場合には、ホース３４に折れ癖が付き、ホース３４内の水路の一部が狭くなってホース３４が持っている本来の放水性能を得られないと云う問題がある。
また、ホース３４がドラム３１や消火栓格納箱３０の背面板とバー３５との間の空間からはみ出した状態で収納された場合には、ホース３４の引き出し時にホース３４が絡み合う危険性があり、消火活動に支障を来たすことがある。
【００１２】
尚、ホース３４を使用した消火栓装置には、図示していないが、上述したドラム型又はバー型の消火栓装置の他に、回転自在なホースリールにホースを巻き付けたホースリール式の消火栓装置がある。
【００１３】
このホースリール式の消火栓装置は、ホースリールの中心部にホースをその基端部側から巻き取って行くため、ホースの基端部を消火栓弁側に接続した後、ホースをホースリールに巻き付けて収納しなければならない。
【００１４】
しかし、この場合には、ホースの基端部側が閉鎖された状態となっているため、ホース内の水が自然排水されず、ホース内に多量の水が残った状態で収納されることになる。
そのため、ホースの収納前に、ホースをホースリールから全て引き出し、ホースの基端部を消火栓弁側から取り外してホース内の水抜きを行わなければならず、ホースの水抜き作業と収納作業を別々に行わなければならないうえ、ホース内の水抜き作業が極めて面倒である。
【００１５】
また、ホースの収納作業においては、ホースリールを回転させながらホースを手で持ってホースのホースリールへの巻き取り位置を決めて行かなければならず、慣れていないと、収納に手間取ることがある。
【先行技術文献】
【特許文献】
【００１６】
【特許文献１】特開平０８−２１５３３８号公報
【特許文献２】実開平０３−０８０７４９号公報
【発明の概要】
【発明が解決しようとする課題】
【００１７】
本発明は、このような問題点に鑑みて為されたものであり、その目的は、保形性を有するホースの収納作業やホース内の水抜き作業を簡単且つ容易に行えてホースの収納時における操作性を高められると共に、ホースの収納作業時にホースがキンクした状態で収納されたり、はみ出した状態で収納されたりすることがなく、ホースを所定の位置に正しく収納することでき、消火栓の性能を維持できるようにした消火栓装置を提供することにある。
【課題を解決するための手段】
【００１８】
本発明の請求項１の消火栓装置は、開閉可能な消火栓格納箱と、消火栓格納箱内に配設された消火栓弁と、消火栓格納箱内に回転自在に支持され、前面にホース引き出し用の開口を有すると共に、外周面にホース基端部取り出し口を備えたドラム状のホース収納体と、ホース収納体内に外側から内側へ向って渦巻き状に巻き回された状態で収納され、基端部が消火栓弁に接続されると共に、先端部にノズルが接続された保形性を有するホースと、消火栓格納箱とホース収納体との間に設けられ、ホース収納体の回転を阻止する固定手段とを具備したことに特徴がある。
【００１９】
本発明の請求項２の消火栓装置は、請求項１に記載の発明に於いて、ホース収納体が、ホース引き出し用の開口を形成した円板状の前面側の側板と、前面側の側板の背面側に対向状に配設された背面側の側板と、両側板間に同心円上に配設され、両側板を連結すると共に、ホースの基端部が挿通されるホース基端部取り出し口を形成した筒状の外周板とによりドラム状に形成されており、背面側の側板が消火栓格納箱の背面板に設けた回転軸に回転自在に支持されていると共に、両側板の外周縁部が消火栓格納箱内に配設した複数の受け車により回転自在に支持されていることに特徴がある。
【００２０】
本発明の請求項３の消火栓装置は、請求項２に記載の発明に於いて、受け車が、その外周面にホース収納体の前面側の側板又は背面側の側板の外周縁部が嵌り込む環状溝が形成されており、消火栓格納箱の底面板又は消火栓格納箱の底面板と背面板の両方に複数個配設されていることに特徴がある。
【００２１】
本発明の請求項４の消火栓装置は、請求項１に記載の発明に於いて、固定手段が、ホース収納体に設けられ、係止孔を形成した収納体側固定金具と、消火栓格納箱に設けられ、収納体側固定金具に対向し得る格納箱側固定金具と、格納箱側固定金具に移動自在に支持され、収納体側固定金具の係止孔に抜き差し自在な係止ピンと、格納箱側固定金具に設けられ、係止ピンが係止孔に挿通される係止位置と係止ピンが係止孔から引き抜かれる非係止位置とに亘って係止ピンを前記各位置にそれぞれ保持する保持機構とから成り、係止ピンを保持機構により係止位置にすると、ホース収納体の回転が阻止され、また、係止ピンを保持機構により非係止位置にすると、ホース収納体が回転フリーの状態になるようにしたことに特徴がある。
【００２２】
本発明の請求項５の消火栓装置は、請求項１又は請求項２に記載の発明に於いて、ホース収納体の外面に、消火栓弁から外されたホースの基端部をホース収納体側へ保持固定する保持手段を設けたことに特徴がある。
【００２３】
本発明の請求項６の消火栓装置は、請求項５に記載の発明に於いて、保持手段が、ホース収納体の外面に取り付けた面ファスナー構造のバンド又は保持機能を有するベルトから成ることに特徴がある。
【発明の効果】
【００２４】
本発明の請求項１の消火栓装置は、保形性を有するホースが収納されるドラム状のホース収納体を消火栓格納箱内に回転自在に支持すると共に、消火栓格納箱とホース収納体との間にホース収納体の回転を阻止し得る固定手段を設ける構成としているため、消火訓練や消火活動時には、固定手段によりホース収納体の回転を阻止することによって、ホース収納体の前面側の開口からのホースの引き出しを容易に行え、また、ホースの収納時には、ホースの基端部を消火栓弁から取り外すと共に、固定手段を操作してホース収納体を回転自在とし、この状態でホースをホース収納体の開口からホース収納体内ヘ押し込むことによって、ホース収納体がホースを巻き取る方向へ回転し、ホースがホース収納体内の外側から内側へ向って渦巻き状に巻き回された状態で順次収納されて行く。
即ち、本発明の請求項１の消火栓装置は、ホースの収納時にホースをホース収納体の開口内に押し込むことによって、ホース収納体がホースを巻き取る方向へ回転するため、大きな力を必要とすることなく、ホースをホース収納体内に楽に収納することができると共に、ホースの収納も迅速且つスムースに行うことができ、ホースの収納時における操作性が高められる。
また、本発明の請求項１の消火栓装置は、ホース収納体を手で回転させる必要がないため、ホースを両手で持って収納操作を行うことができ、ホースの手繰り寄せと巻き取り位置を容易に決めることができるので、ホースがホース収納体からはみ出した状態で収納されたり、或いは、ホースがキンクした状態で収納されたりすると云うことがなく、ホースを所定の位置に正しく収納することでき、ホースの収納性が大幅に向上すると共に、消火栓装置の本来持っている性能を維持することができる。
更に、本発明の請求項１の消火栓装置は、ホースの収納時にホース収納体が回転するため、ホースの先端部に接続しているノズルを取り外しておくと、ホースの両端が開放された状態となるので、ホース収納体の回転及びホースの巻き取り作業と同時にホース内に残っている水が落差（ホースのホース収納体内に収納された部分と地面に置かれているホースの先端部分との落差）によりノズルを取り外したホースの先端から自然排水されることになり、その結果、ホースの水を前もって抜き取る作業を必要とせず、ホースの水抜き作業と収納作業を同時に行え、作業性も良くなる。
【００２５】
本発明の請求項２〜請求項６の消火栓装置は、上記効果に加えて更に次のような優れた効果を奏することができる。
本発明の請求項２の消火栓装置は、ホース収納体が円板状の前面側の側板と、円板状の背面側の側板と、筒状の外周板とから成り、背面側の側板が消火栓格納箱の背面板に設けた回転軸に回転自在に支持されていると共に、両側板の外周縁部が消火栓格納箱内に配設した複数の受け車により回転自在に支持されているため、ホース収納体がホースの収納に伴って重くなっても、ホース収納体を楽に回転させることができると共に、ホース収納体がスムースに回転することになり、ホースの収納に支障を来たすことがない。
【００２６】
本発明の請求項３の消火栓装置は、ホース収納体を回転自在に支持する受け車を消火栓格納箱の底面板又は消火栓格納箱の底面板と背面板の両方に複数個配設し、各受け車の外周面にホース収納体の前面側の側板又は背面側の側板の外周縁部が嵌り込む環状溝を形成しているため、ホース収納体を回転自在に確実且つ良好に支持することができる。
【００２７】
本発明の請求項４の消火栓装置は、固定手段が、ホース収納体に設けた係止孔を有する収納体側固定金具と、消火栓格納箱に設けた格納箱側固定金具と、格納箱側固定金具に移動自在に支持され、収納体側固定金具の係止孔に抜き差し自在な係止ピンと、格納箱側固定金具に設けられ、係止ピンが係止孔に挿通される係止位置と係止ピンが係止孔から引き抜かれる非係止位置とに亘って係止ピンを前記各位置にそれぞれ保持する保持機構とから成るため、係止ピンを係止孔へ抜き差しするだけでホース収納体の固定・解除を行え、ホース収納体の固定・解除の操作を簡単且つ容易に行える。
【００２８】
本発明の請求項５の消火栓装置は、ホース収納体の外面に消火栓弁から外されたホースの基端部をホース収納体側へ保持固定する保持手段を設けているため、ホース収納体の回転時にホースの基端部がホース収納体の回転の邪魔になると云うことがなく、ホース収納体の回転をスムースに行える。
【００２９】
本発明の請求項６の消火栓装置は、保持手段が面ファスナー構造のバンド又は保持機能を有するベルトから成るため、ホースの基端部をホース収納体の外面側へ簡単且つ迅速に保持固定することができる。
【図面の簡単な説明】
【００３０】
【図１】本発明の実施の形態に係る消火栓装置の開閉扉を省略した正面図である。
【図２】消火栓装置の横断面図である。
【図３】ホース収納体に設けた折り畳み式のハンドルの平面図である。
【図４】消火栓装置の固定手段を示し、（Ａ）はホース収納体を固定した状態の一部切欠拡大正面図、（Ｂ）はホース収納体を回転可能にした状態の一部切欠拡大正面図である。
【図５】消火栓装置のホースの収納状態を示す説明図であり、ホースの基端部を消火栓弁から外して保持手段によりホース収納体側へ固定すると共に、固定手段を解除した状態の一部省略正面図である。
【図６】消火栓装置のホースの収納状態を示す説明図であり、ホース収納体内にホースを収納する状態の一部省略正面図である。
【図７】ホース収納体の変形例を示す正面図である。
【図８】ホース収納体の他の変形例を示す正面図である。
【図９】ホース収納体の更に他の変形例を示す正面図である。
【図１０】本発明の他の実施の形態に係る消火栓装置の正面図である。
【図１１】図１０に示す消火栓装置の開閉扉等を省略した正面図である。
【図１２】図１０に示す消火栓装置の縦断側面図である。
【図１３】図１０に示す消火栓装置の固定手段を示し、（Ａ）はホース収納体を固定した状態の拡大正面図、（Ｂ）はホース収納体を回転可能にした状態の拡大正面図である。
【図１４】従来のドラム型の消火栓装置を示し、開閉扉を開いた状態の正面図である。
【図１５】従来のバー型の消火栓装置を示し、（Ａ）は開閉扉を開いた状態の縦型の消火栓装置の正面図（Ｂ）開閉扉を開いた状態の横型の消火栓装置の正面図である。
【図１６】従来の消火栓装置の試験終了時のホースの収納状態を確認したものであり、（Ａ）は従来のバー型（縦型）の消火栓装置の消火栓格納箱にホースを収納した状態の正面図、（Ｂ）は従来の固定ドラム型の消火栓装置の消火栓格納箱にホースを収納した状態の正面図である。
【発明を実施するための形態】
【００３１】
以下、本発明の実施の形態を図面に基づいて詳細に説明する。
図１〜図６は本発明の実施の形態に係る消火栓装置を示し、当該消火栓装置は、多くの文化財が存在し、木造住宅が密集する歴史的な町並みのある地域の道路脇や建物の軒先等に所定間隔毎に設置されており、地域住民の消火訓練や初期消火活動、散水目的に日常的に使用されるものである。
【００３２】
即ち、前記消火栓装置は、図１及び図２に示す如く、開閉可能な消火栓格納箱１と、消火栓格納箱１内に配設された消火栓弁２と、消火栓格納箱１内に鉛直回転自在に支持され、前面にホース引き出し用の開口３ａを有すると共に、外周面にホース基端部取り出し口３ｄを備えたドラム状のホース収納体３と、ホース収納体３内に外側から内側へ向って渦巻き状に巻き回された状態で収納され、基端部が消火栓弁２に接続されると共に、先端部にノズル４が接続された保形性を有するホース５と、消火栓格納箱１とホース収納体３との間に設けられ、ホース収納体３の回転を阻止する固定手段６とから構成されている。
【００３３】
具体的には、前記消火栓格納箱１は、図１及び図２に示す如く、左右の側面板、背面板、天井板及び底面板から成る前面が開放された箱型の本体１ａと、本体１ａの開口周縁部に手前方向へ回動自在に取り付けられ、本体１ａの前面側の開口を開閉する開閉扉１ｂとから構成されており、道路脇等に設けた据え付け架台（図示省略）上に起立姿勢で設置固定されている。
【００３４】
前記消火栓弁２は、図１及び図２に示す如く、消火栓格納箱１の本体１ａの右側の側面板に取り付けられており、その吸入口が給水配管７等を介して高圧水源に接続されている。この消火栓弁２には、手動式のアングル弁が使用されている。
【００３５】
前記ホース収納体３は、図１及び図２に示す如く、中心部にホース引き出し用の円形の開口３ａを形成した円板状の前面側の側板３ｂと、前面側の側板３ｂの背面側に対向状に配設された背面側の側板３ｃと、両側板３ｂ，３ｃ間に同心円上に配設され、両側板３ｂ，３ｃを連結すると共に、ホース５の基端部が挿通されるホース基端部取り出し口３ｄを形成した筒状の外周板３ｅとによりドラム状に形成されており、両側板３ｂ，３ｃの外周縁部が外周板３ｅの外周面よりも少し外方へ突出した状態となっている。
また、ホース収納体３の開口３ａの内周縁部内面には、開口３ａからのホース５の引き出し時にホース５が開口３ａの内周縁部に引っ掛って傷付かないように環状の保護リング３ｆが設けられている。
更に、ホース収納体３の外面（外周板３ｅの外周面）には、消火栓弁２から外されたホース５の基端部をホース収納体３側へ保持固定する保持手段８を設けられている。
この実施の形態においては、保持手段８は、ホース収納体３の外周板３ｅの外面にリベット金具１８により取り付けた面ファスナー構造のバンドから成る。尚、保持手段８は、前記面ファスナー構造のバンドに替えて保持機能を有するベルトを使用しても良い。
更に、ホース収納体３の前面側の側板３ｂ前面には、ホース収納体３へのホース５収納後に、ホース収納体３を手動で回転させてホース５内に残留する水を排水させるための折り畳み式のハンドル１９が設けられている。
このハンドル１９は、図３に示す如く、ホース収納体３の前面側の側板３ｂに固定した支持部材２０に手前方向へ回動自在に取り付けた回動軸２１にスライド自在に支持されており、ハンドル１９に内装した圧縮コイルスプリング２２の弾性力によって、前面側の側板３ｂに対して平行になる折り畳み位置（図３の実線位置）又は前面側の側板３ｂに対して垂直になる引き起こし位置（図３の一点鎖線位置）に保持され、また、圧縮コイルスプリング２２の弾性力に抗してハンドル１９を回動軸２１から抜ける方向へスライド移動させることによって、回動操作できるようになっている。
更に、ホース収納体３の外周板３ｅには、前記ハンドル１９によりホース収納体３を回転させてホース５内の水抜きを行った場合に、ホース収納体３内に水が溜まるのを防止するための水抜き孔３ｈが一つ又は複数形成されている。
【００３６】
そして、前記ホース収納体３は、背面側の側板３ｃが消火栓格納箱１の背面板に設けた水平姿勢の回転軸９に片持ち状態で鉛直回転自在に支持されていると共に、両側板３ｂ，３ｃの外周縁部が消火栓格納箱１の本体１ａの底面板に設けた四つの受け車１０により回転自在に支持されている。
【００３７】
尚、各受け車１０は、その外周面にホース収納体３の前面側の側板３ｂ又は背面側の側板３ｃの外周縁部が嵌り込む断面形状がＵ字状の環状溝が形成されており、消火栓格納箱１の本体１ａの底面板に立設した四つの支持脚１１にそれぞれホース収納体３の中心へ向く傾斜姿勢でもって取り付け固定されている。
【００３８】
前記ホース５は、合成繊維製のたて糸と合成繊維製のよこ糸とを筒状に織成して成るジャケットと、ジャケットの内周面にライニングされた合成樹脂製又はゴム製の円筒状の内張り層とから構成されており、保形性を有するものである。
このホース５の基端部は、接続金具１２を介して消火栓弁２に着脱自在に接続され、また、ホース５の先端部は、接続金具１２を介して可変噴霧式のノズル４に着脱自在に接続されている。
尚、この実施の形態においては、ドラム収納スペースを有する既設品の改修も可能となり、既設格納箱の内部部品を撤去後、後述する固定手段６の格納箱側固定金具６ｃ、ベース付回転軸９、受け車１０の支持脚１１1をビスやボルト類で固定し、ホース収納体３をセットする。
この場合に使用するホース５には、下記の表１に示す仕様のもの（改善型ホース）が使用される。
【００３９】
【表１】
2014204781.tif 000003
【００４０】
前記改善型ホースは、既存のホースに比べて口径を５ｍｍ小さくしたものを使用しているため、満水状態での重量が軽くなり、柔軟性も向上する。
また、この改善型ホースは、既存のホースに比べて口径を５ｍｍ細くしたため、長く収納することが可能になり、災害時により遠くまで引き出せる。
更に、この改善型ホースは、表側のたて糸の種類を変更し、織り組織を表を増やしたことにより耐摩耗性が向上する。また、裏側のよこ糸の打ち込み回数を少なくしたことにより柔軟性が向上する。
更に、この改善型ホースは、最小曲げ半径が既存のホースに比べて小さいため、放水、水抜き、収納時の操作性の向上が考えられる。
更に、この改善型ホースは、磨耗試験結果では、既存のホースに比べてもより永く使用できるものと考えられる。
【００４１】
前記固定手段６は、ホース５の引き出し時には、ホース収納体３の回転を阻止すると共に、ホース５の収納時には、ホース収納体３をフリーの状態にして回転できるようにするものであり、図４（Ａ）及び（Ｂ）に示す如く、ホース収納体３の外周板３ｅの外面に設けられ、ホース収納体３の半径方向に沿う係止孔６ａを形成した収納体側固定金具６ｂと、消火栓格納箱１の本体１ａの背面板に設けられ、収納体側固定金具６ｂに対向し得る格納箱側固定金具６ｃと、格納箱側固定金具６ｃにホース収納体３の半径方向へ移動自在に支持され、収納体側固定金具６ｂの係止孔６ａに抜き差し自在な縦向き姿勢の係止ピン６ｄと、格納箱側固定金具６ｃに設けられ、係止ピン６ｄが係止孔６ａに挿通される係止位置（図４（Ａ）に示す位置）と係止ピン６ｄが係止孔６ａから引き抜かれる非係止位置（図４（Ｂ）に示す位置）とに亘って係止ピン６ｄを前記各位置にそれぞれ保持する保持機構６ｅとから成る。
また、係止ピン６ｄは、その中間部が水平方向に１８０度折り曲げられており、上端部及び下端部が格納箱側固定金具６ｃに上下自在に挿通支持されている。
更に、保持機構６ｅは、格納箱側固定金具６ｃに上下方向に一定の間隔を空けて配設され、係止ピン６ｄの折り曲げた中間部が着脱自在に係止される水平な上部保持板６ｅ１及び下部保持板６ｅ２から成り、係止ピン６ｄの折り曲げられた中間部を上部保持板６ｅ１に係止させると、係止ピン６ｄが係止孔６ａから引き抜かれる非係止位置に保持され、係止ピン６ｄの折り曲げられた中間部を下部保持板６ｅ２に係止させると、係止ピン６ｄが係止孔６ａに挿通される係止位置に保持されるようになっている。
尚、係止ピン６ｄは、これを回転操作することによって、上部保持板６ｅ１又は下部保持板６ｅ２への係止を行えると共に、上部保持板６ｅ１又は下部保持板６ｅ２からの離脱を行える。
【００４２】
次に、上述した消火栓装置を用いて消火訓練や消火活動を行う場合について説明する。
尚、消火栓装置は、非使用時には、ホース５がホース収納体３内に渦巻き状態で収納されていると共に、ノズル４が渦巻き状に巻かれたホース５の中心部に形成された空間内に収納保持されている。また、ホース収納体３が固定手段６より回転不能になっていると共に、消火栓弁２及びノズル４がそれぞれ閉じた状態となっている。
【００４３】
消火訓練や消火活動時においては、消火栓格納箱１の開閉扉１ｂを開き、ノズル４を持って、消火栓弁２を開放し、ノズル４及びホース５の先端部を持って火災方向へ走ると、ホース５がホース収納体３の開口３ａ部から順次繰り出し、ホース５を火災位置近傍まで引き出した後、その位置でノズル４を開放して火災位置へ向って放水する。
【００４４】
そして、消火訓練や消火活動が終了すると、次の手順によりホース５等を消火栓格納箱１内へ収納する。
先ず、消火栓弁２を閉じ、ホース５先端部のノズル４をホース５から取り外すと共に、ホース５の基端部を消火栓弁２から取り外し、ホース５の基端部を面ファスナー構造のバンドから成る保持手段８によりホース収納体３の外周面に保持固定する（図５参照）。
【００４５】
次に、固定手段６を操作してホース収納体３の固定状態を解除してホース収納体３を回転フリーの状態とし、この状態でホース５を持ってこれをホース収納体３の開口３ａからホース収納体３内へ押し込んで行く（図６参照）。
【００４６】
このとき、ホース５をホース収納体３内ヘ押し込む力によって、ホース収納体３がホース５を巻き取る方向へ回転し、ホース５がホース収納体３内の外側から内側へ向って渦巻き状に巻き回された状態で順次収納されて行くことになる。その結果、大きな力を必要とすることなく、ホース５をホース収納体３内に楽に収納することができると共に、ホース５の収納も迅速且つスムースに行うことができ、ホース５の収納時における操作性が高められる。
また、ホース収納体３を手で回転させる必要がないため、ホース５を両手で持って収納操作を行うことができ、ホース５の手繰り寄せと巻き取り位置を容易に決めることができ、ホース５がホース収納体３からはみ出した状態で収納されたり、或いは、ホース５がキンクした状態で収納されたりすると云うことがなく、ホース５をホース収納体３内の所定の位置に正しく収納することできる。
更に、ホース５の両端が開放された状態となっているため、ホース収納体３の回転及びホース５の巻き取り作業と同時にホース５内に残っている水が落差（ホース５のホース収納体３内に収納された部分と地面に置かれているホース５の先端部分との落差）によりホース５の先端から自然排水されることになる。
そのうえ、ホース収納体３が回転軸９及び複数の受け車１０により回転自在に支持されているため、ホース収納体３がホース５の収納に伴って重くなっても、ホース収納体３を楽に回転させることができると共に、ホース収納体３がスムースに回転することになり、ホース５の収納に支障を来たすことがない。
加えて、ホース５の基端部を保持手段８によりホース収納体３の外周面へ保持固定しているため、ホース収納体３の回転時にホース５の基端部がホース収納体３の回転の邪魔になると云うことがなく、ホース収納体３の回転をスムースに行える。
更に、ホース５を全て引き延ばさなかった場合は、ホース５の収納後、ホース収納体３内のホース５内に水が残留することとなるが、ホース収納体３の前面側の側板３ｂに設置された折り畳み式のハンドル１９を折り畳み位置から引き起こし位置に引き起こし、ホース収納体３を回転させることで、残留した水を排水することができる。そのため、水抜きを行うためにホース５を全て引き延ばす必要がなくなる。
尚、ホース５の収納後にホース収納体３を回転させてホース５の水抜きを行った場合、ホース収納体３内に水が溜まる恐れがあるが、この水はホース収納体３の外周板３ｅに設けた水抜き孔３ｈから排水することができる。
【００４７】
そして、ホース５を全てホース収納体３内へ収納したら、ホース５の先端部にノズル４を接続すると共に、ホース５の基端部をホース収納体３の外周面から取り外して消火栓弁２に接続し、ホース収納体３を固定手段６により固定状態にする。
【００４８】
このように、上述した消火栓装置は、ホース５の収納作業やホース５内の水抜き作業を簡単且つ容易に行えてホース５の収納時における操作性を高められると共に、ホース５の収納作業時にホース５がキンクした状態で収納されたり、はみ出した状態で収納されたりすることがなく、ホースをホース収納体内の所定の位置に正しく収納することでき、消火栓の性能を維持することができる。
【００４９】
下記の表２及び表３は、従前の消火栓装置を本発明の消火栓装置へ改修したものと、従前の消火栓装置の操作性能を比較した試験の試験方法と試験結果を示すものである。
尚、表２及び表３のＡは、従前のバー型（横型）の消火栓格納箱と表１に示す本発明の消火栓装置への改修に使用する改善型ホースを組み合せた消火栓装置、Ｂは、従前のバー型（横型）の消火栓格納箱と表１に示す既存のホースとを組み合せた消火栓装置、Ｃは、本発明の回転ドラム型の消火栓格納箱と表１に示す本発明の消火栓装置（改修用）に使用する改善型ホースとを組み合せた消火栓装置、Ｄは、従前のバー型（縦型）の消火栓格納箱と表１に示す既存のホースとを組み合せた消火栓装置、Ｅは、従前の固定ドラム型の消火栓格納箱と表１に示す既存のホースとを組み合せた消火栓装置である。
【００５０】
【表２】
2014204781.tif 000004
【００５１】
【表３】
2014204781.tif 000005
【００５２】
上記試験は、災害時想定と日常利用時の二つの使用状況を想定して行った。
災害時を想定した試験では、ホース（既存のホース３０ｍ、改善型ホース３５ｍ）を最大まで引き出した。また、ホースの引き出し方向に二つの障害物を設置し、一つ目の障害物は右側を通り、二つ目の障害物は左側を通ってホースを引き出した。
一方、日常利用時を想定した試験では、ホースを１０ｍ引き出した。また、障害物は通らなかった。
尚、ホースの放水圧は、災害時想定及び日常利用時とも、易操作性１号消火栓の最低基準水圧である０．１７ＭＰａを計測し、その際の１次側水圧０．３８ＭＰａで一定にして各消火栓装置を使用した。
【００５３】
上記表３の試験結果からも明らかなように、改善型ホース（本発明の消火栓装置改修用に使用するホース）と既存のホースの引き出し力を比較すると、改善型ホースがより楽に引き出せることが判明した。また、改善型ホースと回転ドラム式の消火栓格納箱を組み合せた消火栓装置と既存の消火栓装置で比較すると、ホースのみの比較と同様の結果が得られた。
尚、引き出し力の測定は、日常利用時の引き出しではあまり差が表れないことが考えられるので、測定をしなかった。
【００５４】
また、災害時想定におけるホースの引き出し時間を比較すると、ホースのみ異なるＡ及びＢの消火装置でＡの消火栓装置は１１．２秒、Ｂの消火栓装置は１４．２秒となり、本発明仕様のＣの消火栓装置は１２．４秒、既設仕様のＤ及びＥの消火装置でＤの消火栓装置は１２．８秒、Ｅの消火栓装置は１２．５秒であった。
更に、日常利用時におけるホースの引き出し時間を比較すると、Ａの消火栓装置は４．６秒、Ｂの消火栓装置は４．９秒、Ｃの消火栓装置は５．７秒、Ｄの消火栓装置は４秒、Ｅの消火栓装置は５．６秒であった。
【００５５】
この試験結果からも明らかなように、改善型ホースは、既存のホースより５ｍ長いことを考慮すると、災害時では改善型ホースがより早く放水地点まで到達できたことが判る。また、日常利用時（引き出し距離１０ｍ）では、改善型ホースと既存のホースは殆んど差がでなかった。
【００５６】
また、災害時想定におけるホースの収納時間を比較すると、Ａの消火栓装置は１５７．２秒、Ｂの消火栓装置は２４０．４秒、Ｃの消火栓装置は１８０．６秒、Ｄの消火栓装置は１６７秒、Ｅの消火栓装置は１５５．３秒であった。
更に、日常利用時におけるホースの収納時間を比較すると、Ａの消火栓装置は３０．８秒、Ｂの消火栓装置は４１．８秒、Ｃの消火栓装置は７９．４秒、Ｄの消火栓装置は６９秒、Ｅの消火栓装置は５１．６秒であった。
【００５７】
この試験結果からも明らかなように、改善型ホースと既存のホースでは、改善型ホースが早く収納できたことが判る。また、回転ドラム式の消火栓装置を使用した際にはホースが長いことを考慮してもあまり差がでなかった。
しかし、試験終了時のホースの収納状態を確認すると、図１６（Ａ）及び（Ｂ）に示す従前型Ｄの消火栓装置、Ｅの消火栓装置ともに、ホース収納部へホースが収納しきれず、丁寧さが不足していたことが分かる。これに対して、本発明仕様においては、完全に収納された状態となる。
【００５８】
尚、上記の実施の形態においては、ホース収納体３の前面側の開口３ａを円形としたが、ホース収納体３の開口３ａの形状は、上記実施の形態に係るものに限定されるものではなく、ホース５の引き出しを円滑且つスムースに行えれば、如何なる形状であっても良い。
また、ホース５の口径や長さは、表１に示す改善型ホースに限定されるものではなく、如何なるサイズであっても良い。何故なら、ホース３は、そのサイズに関係なく、外周板３ｅの幅や、前面側の側板３ｂ、背面側の側板３ｃのサイズを変更することによりホース収納体３内へ収納可能となるからである。
【００５９】
図７〜図９は何れもホース収納体３の変形例を示すものであり、図７に示す如く、ホース収納体３の開口３ａをトラック形状としても良く、また、図８に示す如く、ホース収納体３の前面側の側板３ｂ中央部を直径方向に切り欠いてほぼトラック形状の開口３ａを形成し、当該開口３ａの直線状の内周縁部にガイドローラ３ｇを対向状に回転自在に取り付けるようにしても良く、更に、図９に示す如く、ホース収納体３の少なくとも前面側の側板３ｂを通気性を有するパンチング材で形成したり、或いは、図示していないが、少なくとも前面側の側板３ｂに複数の開口を設けるようにしても良い。
尚、図９に示すホース収納体３においては、前面側の側板３ｂの他に外周板３ｅ及び背面側の側板３ｃも通気性を有するパンチング材で形成しても良く、また、外周板３ｅ及び背面側の側板３ｃにも複数の開口を設けるようにしても良い。
特に、図８に示すホース収納体３においては、開口３ａの内周縁部にガイドローラ３ｇを設けているため、ホース収納体３の開口３ａからホース５を引き出す際にホース５がガイドローラ３ｇに案内されるため、ホース５をホース収納体３の開口３ａから円滑且つスムースに引き出すことができる。
また、図９に示すホース収納体３においては、前面側の側板３ｂをパンチング材で形成したり、前面側の側板３ｂに複数の開口を設けているため、ホース収納体３の通気性が良くなり、ホース５をより早く乾燥させることができる。
【００６０】
図１０〜図１３は本発明の他の実施の形態に係る消火栓装置を示し、当該消火栓装置は、城や寺等の建物がある敷地内、或いは歴史的景観を有する町並み地区に所定間隔毎に設置されており、消火訓練や初期消火活動、散水目的に使用されるものである。
【００６１】
即ち、前記消火栓装置は、開閉可能な消火栓格納箱１と、消火栓格納箱１内に配設された消火栓弁２と、消火栓格納箱１内に回転自在に支持され、前面にホース引き出し用の開口３ａを有すると共に、外周面にホース基端部取り出し口（図示省略）を備えたドラム状のホース収納体３と、ホース収納体３内に外側から内側へ向って渦巻き状に巻き回された状態で収納され、基端部が消火栓弁２に接続されると共に、先端部にノズル４が接続された保形性を有するホース５と、消火栓格納箱１とホース収納体３との間に設けられ、ホース収納体３の回転を阻止する固定手段６とから構成されている。
【００６２】
具体的には、前記消火栓格納箱１は、図１０〜図１２に示す如く、左右の側面板、背面板、天井板及び底面板から成り、内部空間をホース収納部Ｓ１、警報機器収納部Ｓ２及び給水配管収納部Ｓ３に区分けした前面が開放された箱型の本体１ａと、本体１ａのホース収納部Ｓ１の開口周縁部に手前方向へ回動自在に取り付けられ、ホース収納部Ｓ１の開口を開閉する主扉１ｃと、本体１ａの警報機器収納部Ｓ２の開口周縁部に手前方向へ回動自在に取り付けられ、警報機器収納部Ｓ２の開口を開閉する火報扉１ｄと、本体１ａの給水配管収納部Ｓ３の開口周縁部に手前方向へ回動自在に取り付けられ、給水配管収納部Ｓ３の開口を開閉する配管用扉１ｅとから構成されており、城や寺等の建物がある敷地内に設けたコンクリート製の据え付け架台１３上に複数本のアンカーボルト１４により起立姿勢で設置固定されている。
尚、火報扉１ｄには、常時赤色に点灯している表示灯１５が設けられている。
【００６３】
前記消火栓弁２は、消火栓格納箱１のホース収納部Ｓ１に配設されており、その吸入口が給水配管７等を介して高圧水源に接続されている。この消火栓弁２には、手動式で且つポンプの起動スイッチ１６付のアングル弁が使用されている。
【００６４】
前記ホース収納体３は、図１１及び図１２に示す如く、ホース引き出し用のトラック形状の開口３ａを形成した円板状の前面側の側板３ｂと、前面側の側板３ｂの背面側に対向状に配設された背面側の側板３ｃと、両側板３ｂ，３ｃ間に同心円上に配設され、両側板３ｂ，３ｃを連結すると共に、ホース５の基端部が挿通されるホース基端部取り出し口（図示省略）を形成した筒状の外周板３ｅとによりドラム状に形成されており、両側板３ｂ，３ｃの外周縁部が外周板３ｅの外周面よりも少し外方へ突出した状態となっている。
また、ホース収納体３の開口３ａの直線状の内周縁部には、ガイドローラ３ｇが対向状に回転自在に取り付けられている。
更に、ホース収納体３の外面には、消火栓弁２から外されたホース５の基端部をホース収納体３側へ保持固定する面ファスナー構造のバンドから成る保持手段８を設けられている。
【００６５】
そして、前記ホース収納体３は、背面側の側板３ｃが消火栓格納箱１の背面板に設けた水平姿勢の回転軸９に片持ち状態で鉛直回転自在に支持されていると共に、両側板３ｂ，３ｃの外周縁部が消火栓格納箱１の本体１ａの底面板に設けた四つの受け車１０と本体１ａの背面板に設けた二つの受け車１０とにより回転自在に支持されている。
【００６６】
尚、受け車１０は、その外周面にホース収納体３の前面側の側板３ｂ又は背面側の側板３ｃの外周縁部が嵌り込む断面形状がＵ字状の環状溝が形成されており、消火栓格納箱１の本体１ａの底面板に立設した四つの支持脚１１と、本体１ａの背面板に二つの支持板１７にホース収納体３の中心へ向く傾斜姿勢でもって取り付け固定されている。
【００６７】
前記ホース５は、図１に示す消火栓装置のホース５と同様構造に構成されており、その基端部は、接続金具１２を介して消火栓弁２に着脱自在に接続されていると共に、その先端部は、接続金具１２を介して可変噴霧式のノズル４に着脱自在に接続されている。
【００６８】
前記固定手段６は、図１３（Ａ）及び（Ｂ）に示す如く、ホース収納体３の外周板３ｅの外面に設けられ、ホース収納体３の半径方向に沿う係止孔６ａを形成した収納体側固定金具６ｂと、消火栓格納箱１の本体１ａの背面板に設けられ、収納体側固定金具６ｂに対向し得る格納箱側固定金具６ｃと、格納箱側固定金具６ｃにホース収納体３の半径方向へ移動自在に支持され、収納体側固定金具６ｂの係止孔６ａに抜き差し自在な縦向き姿勢の係止ピン６ｄと、格納箱側固定金具６ｃに設けられ、係止ピン６ｄが係止孔６ａに挿通される係止位置（図１３（Ａ）に示す位置）と係止ピン６ｄが係止孔６ａから引き抜かれる非係止位置（図１３（Ｂ）に示す位置）とに亘って係止ピン６ｄを前記各位置にそれぞれ保持する保持機構６ｅとから成る。
また、保持機構６ｅは、格納箱側固定金具６ｃに回動自在に支持され、起立位置と傾倒位置とに亘って上下方向へ回動自在な操作レバー６ｅ３と、操作レバー６ｅ３と係止ピン６ｄとを連動連結するアーム部材６ｅ４とから成り、操作レバー６ｅ３を起立位置に回動操作すると、係止ピン６ｄが係止孔６ａから引き抜かれる非係止位置に保持され、操作レバー６ｅ３を傾倒位置に回動操作すると、係止ピン６ｄが係止孔６ａに挿通される係止位置に保持されるようになっている。
【００６９】
図１０〜図１３に示す消火栓装置も、図１〜図６に示す消火栓装置と同様の作用効果を奏することができる。
【符号の説明】
【００７０】
１は消火栓格納箱、１ａは本体、１ｂは開閉扉、１ｃは主扉、１ｄは火報扉、１ｅは配管用扉、２は消火栓弁、３はホース収納体、３ａは開口、３ｂは前面側の側板、３ｃは背面側の側板、３ｄはホース基端部取り出し口、３ｅは外周板、３ｆは環状の保護リング、３ｇはガイドローラ、３ｈは水抜き孔、４はノズル、５はホース、６は固定手段、６ａは係止孔、６ｂは収納体側固定金具、６ｃは格納箱側固定金具、６ｄは係止ピン、６ｅは保持機構、６ｅ１は上部保持板、６ｅ２は下部保持板、６ｅ３は操作レバー、６ｅ４はアーム部材、７は給水配管、８は保持手段、９は回転軸、１０は受け車、１１は受け車の支持脚、１２は接続金具、１３は据え付け架台、１４はアンカーボルト、１５は表示灯、１６は起動スイッチ、１７は受け車の支持板、１８はリベット金具、１９は折り畳み式のハンドル、２０は支持部材、２１は回動軸、２２は圧縮コイルスプリング、Ｓ１はホース収納部、Ｓ２は警報機器収納部、Ｓ３は給水配管収納部。
【図１】
2014204781.tif 000006
【図２】
2014204781.tif 000007
【図３】
2014204781.tif 000008
【図４】
2014204781.tif 000009
【図５】
2014204781.tif 000010
【図６】
2014204781.tif 000011
【図７】
2014204781.tif 000012
【図８】
2014204781.tif 000013
【図９】
2014204781.tif 000014
【図１０】
2014204781.tif 000015
【図１１】
2014204781.tif 000016
【図１２】
2014204781.tif 000017
【図１３】
2014204781.tif 000018
【図１４】
2014204781.tif 000019
【図１５】
2014204781.tif 000020
【図１６】
2014204781.tif 000021